【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
第１金属で構成される第１導電部材と、
第２金属で構成される第２導電部材と、
前記第１導電部材と前記第２導電部材との端面同士を接合する第３金属で構成される中間部材と、
を備え、
前記中間部材は、前記第１導電部材と前記第２導電部材の少なくとも一方の外周径に合わせた窪み状の係合部を有するキャップ部材で構成され、
前記中間部材と前記第１導電部材との接合界面または当該接合界面の近傍領域は、前記第１金属と前記第３金属との固溶体である第１固溶体で構成され、
前記中間部材と前記第２導電部材との接合界面または当該接合界面の近傍領域は、前記第２金属と前記第３金属との固溶体である第２固溶体で構成され、
前記中間部材を構成するキャップ部材は、当該キャップ部材の片面のみに、前記窪み状の係合部を有することを特徴とする導電部材の接合体。
【請求項２】
前記窪み状の係合部は、係合対象としての前記第１導電部材と前記第２導電部材の軸心を合わせる位置決め部を兼ねることを特徴とする請求項１に記載の導電部材の接合体。
【請求項３】
前記窪み状の係合部は、前記第１固溶体と前記第２固溶体による接合を行う前に、係合対象としての前記第１導電部材または前記第２導電部材の端部に仮固定し得る深さに設定されることを特徴とする請求項１または請求項２に記載の導電部材の接合体。
【請求項４】
前記中間部材は、前記第１固溶体と前記第２固溶体による接合を行う際に、係合対象としての前記第１導電部材と前記第２導電部材との間に配置される隔壁部を備え、
前記隔壁部を構成する前記第３金属は、全量が前記第１金属または前記第２金属に固溶し得る厚さに設定されることを特徴とする請求項１から請求項３の何れか１項に記載の導電部材の接合体。
【請求項５】
前記第１導電部材および前記第２導電部材の少なくとも一方は、複数の芯線を束ねた撚り電線であることを特徴とする請求項１から請求項４の何れか１項に記載の導電部材の接合体。
【請求項６】
前記第３金属は、前記第１金属および前記第２金属より融点が低い低融点金属で構成されていることを特徴とする請求項１から請求項５の何れか１項に記載の導電部材の接合体。
【請求項７】
前記第１金属および前記第２金属は、Ａｌで構成され、
前記第３金属は、Ｚｎで構成され、
前記第１固溶体と前記第２固溶体のそれぞれは、ＡｌとＺｎとの固溶体であることを特徴とする請求項１から請求項５の何れか１項に記載の導電部材の接合体。
【請求項８】
前記中間部材について、前記第１導電部材または前記第２導電部材の端部との対向面に、１または２以上の突起が形成されていることを特徴とする請求項１から請求項７の何れか１項に記載の導電部材の接合体。
【請求項９】
第１金属で構成される第１導電部材および第２金属で構成される第２導電部材を準備し、
前記第１導電部材の端部に、第３金属で構成される中間部材が備える窪み状の係合部を係合させ、
前記第２導電部材の端部に、前記中間部材の表面に当接させ、
前記中間部材に対して、前記第１導電部材を仮固定し、前記第２導電部材を当接した状態で所定温度まで加熱して第１導電部材と第２導電部材とを接合する、
ことを特徴とする導電部材の接合方法。
【請求項１０】
前記第１導電部材が複数の芯線を束ねた撚り電線である場合に、撚り電線側の端部に前記中間部材を係合させた後に、第２導電部材に前記中間部材を当接させることを特徴とする請求項９に記載の導電部材の接合方法。
【手続補正２】
【補正対象書類名】明細書
【補正対象項目名】００１５
【補正方法】変更
【補正の内容】
【００１５】
前記目的を達成するために、請求項１に係る導電部材の接合体は、第１金属で構成される第１導電部材と、第２金属で構成される第２導電部材と、前記第１導電部材と前記第２導電部材との端面同士を接合する第３金属で構成される中間部材と、を備え、前記中間部材は、前記第１導電部材と前記第２導電部材の少なくとも一方の外周径に合わせた窪み状の係合部を有するキャップ部材で構成され、前記中間部材と前記第１導電部材との接合界面または当該接合界面の近傍領域は、前記第１金属と前記第３金属との固溶体である第１固溶体で構成され、前記中間部材と前記第２導電部材との接合界面または当該接合界面の近傍領域は、前記第２金属と前記第３金属との固溶体である第２固溶体で構成され、前記中間部材を構成するキャップ部材は、当該キャップ部材の片面のみに、前記窪み状の係合部を有することを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
請求項２に係る導電部材の接合体は、請求項１に記載の発明について、前記窪み状の係合部は、係合対象としての前記第１の導電部材または前記第２の導電部材の軸心を合わせる位置決め部を兼ねることを特徴とする。
【手続補正８】
【補正対象書類名】明細書
【補正対象項目名】００２３
【補正方法】変更
【補正の内容】
【００２３】
請求項３に係る導電部材の接合体は、請求項１または請求項２に記載の発明について、前記窪み状の係合部は、前記固溶体による接合を行う前に、係合対象としての前記第１の導電部材または前記第２の導電部材の端部に仮固定し得る深さに設定されることを特徴とする。
【手続補正９】
【補正対象書類名】明細書
【補正対象項目名】００２５
【補正方法】変更
【補正の内容】
【００２５】
請求項４に係る導電部材の接合体は、請求項１に記載の発明について、前記固溶体による接合を行う際に、係合対象としての前記第１の導電部材と前記第２の導電部材との間の隔壁部を構成する前記第３金属は、全量が溶融して消費され得る厚さに設定されることを特徴とする。
【手続補正１０】
【補正対象書類名】明細書
【補正対象項目名】００２７
【補正方法】変更
【補正の内容】
【００２７】
請求項５に係る導電部材の接合体は、請求項１から請求項４の何れか１項に記載の発明について、前記第１の導電部材および前記第２の導電部材の少なくとも一方は、複数の芯線を束ねた撚り電線であることを特徴とする。
【手続補正１１】
【補正対象書類名】明細書
【補正対象項目名】００２９
【補正方法】変更
【補正の内容】
【００２９】
請求項６に係る導電部材の接合体は、請求項１から請求項５の何れか１項に記載の発明について、前記第３金属は、前記第１金属および前記第２金属より融点が低い低融点金属で構成されていることを特徴とする。
【手続補正１２】
【補正対象書類名】明細書
【補正対象項目名】００３１
【補正方法】変更
【補正の内容】
【００３１】
請求項７に係る導電部材の接合体は、請求項１から請求項５の何れか１項に記載の発明について、前記第１金属および前記第２金属は、Ａｌで構成され、前記第３金属は、Ｚｎで構成され、前記固溶体は、ＡｌとＺｎとの固溶体であることを特徴とする。
【手続補正１３】
【補正対象書類名】明細書
【補正対象項目名】００３３
【補正方法】変更
【補正の内容】
【００３３】
請求項８に係る導電部材の接合体は、請求項１から請求項７の何れか１項に記載の発明について、前記中間部材について、前記第１の導電部材または前記第２の導電部材の端部との対向面に、１または２以上の突起部が形成されていることを特徴とする。
【手続補正１４】
【補正対象書類名】明細書
【補正対象項目名】００３５
【補正方法】変更
【補正の内容】
【００３５】
請求項９に係る導電部材の接合方法は、第１金属で構成される第１導電部材および第２金属で構成される第２導電部材を準備し、前記第１導電部材の端部に、第３金属で構成される中間部材が備える窪み状の係合部を係合させ、前記第２導電部材の端部に、前記中間部材の表面に当接させ、前記中間部材に対して、前記第１導電部材を仮固定し、前記第２導電部材を当接した状態で所定温度まで加熱して第１導電部材と第２導電部材とを接合する、ことを特徴とする。
【手続補正１５】
【補正対象書類名】明細書
【補正対象項目名】００３７
【補正方法】変更
【補正の内容】
【００３７】
請求項１０に係る導電部材の接合方法は、請求項９に記載の発明について、前記第１導電部材が複数の芯線を束ねた撚り電線である場合に、撚り電線側の端部に前記中間部材を係合させた後に、第２導電部材に前記中間部材を当接させることを特徴とする。